(57)【要約】【課題】  情報の秘匿性、安全性を向上できるキー登録装置、これを使用した携帯端末及びコンピュータの制御方法を提供する。【解決手段】  操作部１２からの所定の操作に基づき、操作指示部２４が、セキュリティデータとしてのキー入力の操作開始タイミングを報知する画面を表示制御部２２を介して表示部１０に表示させ、この操作開始タイミングから時間計測部１６で計測される所定時間内に入力されたキー入力の内容をセキュリティデータとして受け付けて記憶部１４に記憶する。【選択図】        図１
2005165451.tif 000002
【特許請求の範囲】
【請求項１】
キー入力可能な装置において、パスワード等に使用されるキー入力の内容を登録するためのキー登録装置であって、
キー登録の操作開始タイミングを指示するための操作開始指示手段と、
前記操作開始指示手段による開始指示からの経過時間を計測する時間計測手段と、
前記時間計測手段が計測した所定時間以内に押下されたキー入力の内容を表すデータを記憶する記憶手段と、
を備えることを特徴とするキー登録装置。
【請求項２】
請求項１記載のキー登録装置において、前記記憶手段に記憶される前にキー操作者にキー入力の正誤を確認させるために前記キー入力の内容を表示する表示手段がさらに備えられていることを特徴とするキー登録装置。
【請求項３】
請求項１または請求項２記載のキー登録装置は、キーの押下操作時間を計測する押下時間計測手段と、前記押下操作時間が所定時間を超える長押しキーか否かを判定する長押しキー判定手段と、をさらに備え、前記記憶手段は、各キーが長押しキーか否かのデータも記憶することを特徴とするキー登録装置。
【請求項４】
請求項１から請求項３のいずれか一項記載のキー登録装置を使用した携帯端末。
【請求項５】
キー入力可能な装置において、パスワード等に使用されるキー入力の内容を登録するためのコンピュータの制御方法であって、
キー登録の操作開始タイミングを指示するステップと、
前記操作開始タイミングの指示からの経過時間を計測するステップと、
前記操作開始タイミングの指示から所定時間以内に押下されたキー入力の内容を表すデータを記憶するステップと、
を備えることを特徴とするコンピュータの制御方法。
【発明の詳細な説明】
【技術分野】
【０００１】
本発明は、セキュリティレベルが向上されたキー登録装置、これを使用した携帯端末及びコンピュータの制御方法に関する。
【背景技術】
【０００２】
従来より、携帯端末等において個人情報等の秘匿性が高く要求される情報を扱う場合があった。このような情報を扱う場合には、予めパスワード等のセキュリティデータを設定しておき、使用者に所定の操作毎にセキュリティデータの入力を要求していた。例えば、下記特許文献１には、複数の暗証番号が登録できる携帯無線装置が開示されている。
【特許文献１】特開２００１−３４５９２６号公報
【発明の開示】
【発明が解決しようとする課題】
【０００３】
しかし、上記従来の携帯端末等においては、パスワード等のセキュリティデータの入力用画面が固定されており、またセキュリティデータの入力に使用できるキーも０から９までの１０種類しかなく、さらに通常４桁の数字とされていた。このため、情報の秘匿性、安全性が十分とはいえないという問題があった。
【０００４】
本発明は、上記従来の課題に鑑みてなされたものであり、その目的は、情報の秘匿性、安全性を向上できるキー登録装置、これを使用した携帯端末及びコンピュータの制御方法を提供することにある。
【課題を解決するための手段】
【０００５】
上記目的を達成するために、本発明は、キー入力可能な装置において、パスワード等に使用されるキー入力の内容を登録するためのキー登録装置であって、キー登録の操作開始タイミングを指示するための操作開始指示手段と、前記操作開始指示手段による開始指示からの経過時間を計測する時間計測手段と、前記時間計測手段が計測した所定時間以内に押下されたキー入力の内容を表すデータを記憶する記憶手段と、を備えることを特徴とする。
【０００６】
また、上記キー登録装置において、前記記憶手段に記憶される前にキー操作者にキー入力の正誤を確認させるために前記キー入力の内容を表示する表示手段がさらに備えられていることを特徴とする。
【０００７】
また、キー登録装置は、キーの押下操作時間を計測する押下時間計測手段と、前記押下操作時間が所定時間を超える長押しキーか否かを判定する長押しキー判定手段と、をさらに備え、前記記憶手段は、各キーが長押しキーか否かのデータも記憶することを特徴とする。
【０００８】
また、本発明は、上記いずれかのキー登録装置を使用した携帯端末であることを特徴とする。
【０００９】
また、本発明は、キー入力可能な装置において、パスワード等に使用されるキー入力の内容を登録するためのコンピュータの制御方法であって、キー登録の操作開始タイミングを指示するステップと、前記操作開始タイミングの指示からの経過時間を計測するステップと、前記操作開始タイミングの指示から所定時間以内に押下されたキー入力の内容を表すデータを記憶するステップと、を備えることを特徴とする。
【発明の効果】
【００１０】
本発明によれば、所定時間以内に押下されたキー入力の内容を表すデータをセキュリティデータとして記憶し、またキーの短押し、長押しも区別するので、セキュリティデータに使用するキーの種類を増加でき、情報の秘匿性、安全性を向上できるキー登録装置、これを使用した携帯端末及びコンピュータの制御方法を実現できる。
【発明を実施するための最良の形態】
【００１１】
以下、本発明を実施するための最良の形態（以下、実施形態という）を、図面に従って説明する。
【００１２】
図１には、本発明にかかる携帯端末の一実施形態の構成のブロック図が示される。図１において、携帯端末は、表示部１０、操作部１２、記憶部１４、時間計測部１６、通信部１８及び制御部２０で構成されている。
【００１３】
表示部１０は、例えば液晶ディスプレイ等で構成され、文字データ等のキー入力の内容、各種図形等を表示する。なお、本発明をパーソナルコンピュータ等に適用した場合には、表示部１０をＣＲＴ等で構成することもできる。上記キー入力は、図１の操作部１２により行う。この操作部１２は、例えば携帯端末の操作ボタン等により構成されるが、本発明をパーソナルコンピュータ等に適用した場合には、キーボード、マウス等の領域指定手段、バーコード等により構成することもできる。
【００１４】
記憶部１４は、例えば制御部２０の作業用のＲＡＭ、不揮発性メモリとしてのＥＥＰＲＯＭ、磁気記憶媒体等で構成されており、キー入力の内容等の各種データが記憶される。
【００１５】
時間計測部１６は、時計等の計時機能を含んだ構成とされており、携帯端末の制御を行う際に必要となる時間データの計測を行う。
【００１６】
通信部１８は、公知の方法により基地局と通信して携帯通信端末としての通話機能を実現している。なお、本発明をＰＤＡ（パーソナルデジタルアシスタンス）、パーソナルコンピュータ等に適用した場合には、通信部１８は不要である。
【００１７】
制御部２０は、例えばＣＰＵ等で構成され、表示部１０、操作部１２、記憶部１４、時間計測部１６及び通信部１８とデータのやり取りを行いながらこれらの動作を制御する。
【００１８】
制御部２０の表示制御部２２は、主として表示部１０に表示される内容を制御する。操作指示部２４は、キー登録の操作開始タイミング等使用者に所定の操作を促すような画面表示等の動作を携帯端末に行わせるための制御を行う。判定部２６は、後述するセキュリティデータ及びその入力用画面があらかじめ設定されたものと一致するか否か等を判定するための制御を行う。キー判別部２８は、操作部１２から入力操作されたキーの種類、押下時間等を判別する。データ変更部３０は、上記記憶部１４に記憶されたセキュリティデータの変更等を制御する。入力画面設定部３２は、セキュリティデータの入力用画面の設定を制御する。
【００１９】
以上に述べた携帯端末には、複数のセキュリティモード、例えばシークレットモード、マナーモード、ダイヤルロックモード等データ保護その他の目的に使用される機能モードが複数設定できる。また、上述したセキュリティデータは、いわゆる暗証番号またはパスワードであって、各セキュリティモードに関連付けられた所定の操作、例えば画面選択、文字入力等を許可する条件となるデータである。本発明においては、セキュリティデータを複数設定することができる。
【００２０】
図２は、以上に述べた携帯端末において、セキュリティデータを設定する際の動作を示すフロー図である。なお、以下に説明するフローは、媒体に格納されたプログラムをＣＰＵが実行して実現してもよい。図２において、操作部１２からの所定の操作により表示制御部２２が表示部１０の表示をセキュリティデータ設定画面に遷移させると（Ｓ１）、制御部２０の操作指示部２４が時間計測部１６から時間データとして現在時刻を取得し、整数型の時間変数ｔ１として記憶部１４に格納する（Ｓ２）。また、操作指示部２４は、上記時間変数ｔ１の値を整数型の時間変数ｔ２としても記憶部１４に格納する（Ｓ３）。さらに、操作指示部２４は、パスワード等に使用されるセキュリティデータとしてのキー入力の内容を登録するための操作の開始を使用者に指示するために、表示制御部２２を介して表示部１０にキー登録の操作開始タイミングを報知する画面を表示させる。この場合の操作指示部２４が、キー登録の操作開始タイミングを指示するための操作開始指示手段に相当する。
【００２１】
次に、時間計測部１６から取得する時間データにより時間変数ｔ２を更新しつつ、ｔ２の値がｔ１＋ｔｅ秒以上になったか否か、すなわち操作指示部２４による開始指示からの経過時間が所定時間ｔｅ、例えば１０秒経過したか否かを判定部２６が判定する（Ｓ４）。この場合の時間計測部１６が、操作開始指示手段による開始指示からの経過時間を計測する時間計測手段に相当する。また、判定部２６は、この１０秒間の間に操作部１２からキー入力があったか否かを監視し（Ｓ５）、キー入力があった場合には、キー判別部２８がキーの種類及び当該キー操作が短押しか長押しかを判別する。ここで、キーの種類に関する情報をａ、当該キー操作が短押しか長押しかに関する情報をｂとしている（Ｓ６）、（Ｓ７）。上記キー判別部２８が、キーの押下操作時間が所定時間を超える長押しキーか否かを判定する長押しキー判定手段に相当する。
【００２２】
上記キーの種類は特に制限がなく、携帯端末に備えられたキーであれば全て使用することができる。また、上述したキーの短押しとはキーの押下操作時間が所定時間を超えないキー操作であり、長押しとは、所定時間を超えるキー操作である。この押下操作時間も時間計測部１６から取得する時間データにより計測する。この場合の時間計測部１６は、キーの押下操作時間を計測する押下時間計測手段に相当する。なお、上記操作指示部２４による開始指示からの所定時間ｔｅは、必ずしも１０秒に限定されるものではなく、キー入力の便宜等を考慮して適宜決定することができる。以上にようにして取得されたキーの種類に関するデータａ及び当該キーが単押しか長押しかに関するデータｂは、当該データが取得されたときの時間データｔ２とともに記憶部１４のテンポラリな記憶領域ｋ［＊］に記憶される（Ｓ８）。また、Ｓ８までのステップが完了したときの時間データが新たな現在時刻として時間計測部１６から取得され、この値で時間変数ｔ２を更新するとともに（Ｓ９）、この時のｔ２がｔ１＋１０未満の場合には、ステップがＳ４に戻る（Ｓ１０）。これにより、操作の開始の指示から１０秒間に入力されたキーのデータが時間変数ｔ２とともに記憶領域ｋ［＊］に記憶される。なお、Ｓ５においてキー入力が無い場合には、ステップがＳ５からＳ９に進む。
【００２３】
以上のような動作により、上記所定時間ｔｅ、例えば１０秒間に入力されたキーであれば全てセキュリティデータとして受け付けて記憶しておくことができる。通常、決定キーは、入力データを確定する機能が割り付けられており、このようなキーをセキュリティデータの入力に使用すると、上記本来の入力確定機能とセキュリティデータの入力機能とが矛盾、衝突するので、セキュリティデータの入力には使用できなかった。しかし、本発明では、セキュリティデータの入力に上述の時間制限ｔｅを設定したので、通常はセキュリティデータの確定に使用されるためにセキュリティデータとして使用できない決定キー等もセキュリティデータとして使用可能になり、キー選択の幅を広げることができる。また、本発明では、キーが単押しか長押しかも区別し、セキュリティデータの桁数も制限しないので、さらに設定可能なセキュリティデータの数を多くできる。
【００２４】
次に、記憶領域ｋ［＊］に記憶されたデータが時間変数ｔ２でソートされ（Ｓ１１）、記憶領域ｋ［＊］のサイズに合わせた領域Ｋが記憶部１４に確保されて、入力されたキーのデータが入力時間順に領域Ｋに記憶される。この時、上記記憶領域ｋ［＊］は開放される（Ｓ１２）。また、領域Ｋが確保された記憶部１４は、上記時間計測手段が計測した所定時間以内に押下されたキー入力の内容を表すデータを記憶する記憶手段に相当する。
【００２５】
領域Ｋに記憶されたデータは、表示制御部２２が表示部１０に表示し、キー入力した使用者に正誤を確認させる（Ｓ１３）。この場合の表示制御部２２及び表示部１０が、キー操作者にキー入力の正誤を確認させるためにキー入力の内容を表示する表示手段を構成する。使用者が操作部１２の決定キーを押下した場合は（Ｓ１４）、記憶部１４の領域Ｋに記憶されたキー操作の内容がセキュリティデータとして決定される。このように決定されたセキュリティデータは、図３に示されるように、所定のセキュリティデータＩＤと対応付けて記憶部１４の領域Ｋに記憶される。なお、このセキュリティデータは、使用者が忘れてしまったときのために、所定の管理センターに送信する構成とするのが好適である（Ｓ１５）。また、Ｓ１４において、決定キーが押下されなかった場合、例えば決定キー以外のキーが押下された場合には、記憶部１４の領域Ｋが開放される（Ｓ１６）。以上に述べた操作部１２、記憶部１４、時間計測部１６及びキー判別部２８が、セキュリティデータとしてのキー入力の内容を設定入力するセキュリティデータ設定手段として機能する。なお、図２に示されたフローの動作を繰り返すことにより、複数のセキュリティデータを設定することができる。
【００２６】
図３には、上記記憶部１４に確保された領域Ｋの例が示される。図３においては、上述したように、パスワード等に使用されるセキュリティデータとこのセキュリティデータを識別する識別データであるセキュリティデータＩＤとが対応付けて記憶されている。このような識別データは、特に限定されるものではなく、図３にはセキュリティデータＩＤと記載されているが、例えばセキュリティデータが記憶されたメモリ上のアドレスであってもよい。この図３に示された例が、セキュリティデータと該セキュリティデータを識別する識別データとを対応付けて記憶する第１の記憶手段に相当する。
【００２７】
また図４には、記憶部１４の記憶領域の他の一部の例が示される。図４においては、セキュリティデータＩＤとセキュリティモードを識別するためのセキュリティモードＩＤとが対応付けて記憶されている。この図４に示された例が、セキュリティデータを識別する識別データと各セキュリティモードとを対応付けて記憶する第２の記憶手段に相当する。
【００２８】
図３に示された記憶部１４の領域Ｋに記憶されたセキュリティデータは、操作部１２からの所定の入力に基づき、制御部２０のデータ変更部３０により変更できる構成とされている。一方、図４に示されるように、本発明にかかる携帯端末に設定されるセキュリティモードは、これを識別するためのセキュリティモードＩＤとセキュリティデータを識別するためのセキュリティデータＩＤとが対応付けられて記憶されている。従って、複数のセキュリティモードに共通のセキュリティデータＩＤが割付られている場合に（例えば、図４におけるＳ００１）、この共通のセキュリティデータＩＤに対応するセキュリティデータを操作部１２及びデータ変更部３０により変更すれば、セキュリティデータＩＤを介して上記共通のセキュリティデータを使用する複数のセキュリティモードのセキュリティデータを一括して変更することができる。この場合の操作部１２及びデータ変更部３０が、セキュリティデータを変更するための変更手段を構成している。
【００２９】
図５（ａ）には、上記Ｓ１のステップで説明したセキュリティデータ設定画面の例が示される。図５（ａ）では複数のセキュリティデータが設定できる例が示されるが、セキュリティデータ１は既に設定されており、セキュリティデータ２以降について新たに設定可能である状態が示されている。そこで、操作部１２の操作によりセキュリティデータ２を選択すると、図５（ｂ）に例示されるセキュリティデータを入力するための入力用画面に表示部１０の表示が遷移する。また、この時に、上述したＳ２のステップ以降において、セキュリティデータの入力操作が可能となるとともに、入力用画面に、キー登録の操作開始タイミングを報知する画面が表示される。図５（ｂ）に示された入力用画面の例では、「キーを打ち込んでください」と表示されており、これにより上記操作開始タイミングの報知が行われる。
【００３０】
また、図５（ｂ）に示された入力用画面の例では、上記Ｓ４からＳ１０までのステップにおいて説明した、操作開始タイミングからの経過時間が「残り＊＊秒」というように表示される。この経過時間は、上記Ｓ９のステップで更新されるｔ２の値が表示される。
【００３１】
上記経過時間が０となると、表示部１０の表示が図６（ａ）に例示される確認画面に遷移する。この確認画面は、前述した正誤確認のためにキー入力の内容を表示する表示手段の例である。この確認画面により、キー入力を行った使用者がキーの種類、入力順序、短押し長押しの区別を確認できる。なお、図６（ａ）の例では、短押し長押しの区別を、長押しの場合に「長押し」の表示を出すことにより行っているが、「短押し」の表示または「長押し」及び「短押し」の両方の表示を使用して短押し長押しの区別を行ってもよい。使用者がキー入力の内容を確認し、その意図したものと合致すれば操作部１２により「決定」を選択する。これにより、図６（ｂ）に例示された設定済画面に表示部１０の表示が遷移し、キー入力の内容がセキュリティデータとして確定されたことを表示する。また、使用者の意図したものと合致しなければ、「戻る」を選択して、キー登録の操作をやり直すことができる。なお、図６（ｂ）に例示された設定済画面では、上述したＳ１５のステップで説明した所定の管理センターにセキュリティデータを送信する構成が示されている。
【００３２】
図７には、図１に示された携帯端末において、セキュリティデータと、このセキュリティデータを入力するための入力用画面とを設定する際の動作を示すフロー図が示される。本例に示されたセキュリティデータは、携帯端末に設定可能な機能モードの中のシークレットモードを解除するためのものである。なお、以下に説明するフローは、媒体に格納されたプログラムをＣＰＵが実行して実現してもよい。
【００３３】
図７において、操作部１２の操作により、シークレットモード解除画面に遷移し（Ｓ１０１）、この画面で前述したキー入力の内容を設定入力するセキュリティデータ設定手段により設定された複数のセキュリティデータから所望のセキュリティデータを選択する（Ｓ１０２）。また、操作部１２の操作により所望の画面を入力用画面として選択する（Ｓ１０３）。この場合に選択できる画面は、携帯端末で使用されている画面であれば限定されない。以上のセキュリティデータ及び入力用画面の選択に誤りがなければ、操作者が操作部１２の決定キーを押下する（Ｓ１０４）。操作部１２の決定キーが押下されると、制御部２０の入力画面設定部３２が、当該画面をセキュリティデータを入力するための入力用画面として記憶部１４に格納する。これにより、シークレットモードを解除するためのセキュリティデータと入力用画面が確定され、シークレットモード解除に関わる操作とデータがロックされる（Ｓ１０５）。ここで、操作部１２と入力画面設定部３２とは、セキュリティデータを入力するための入力用画面を設定入力する入力画面設定手段として機能する。また、セキュリティデータ及び入力用画面の選択に誤りがある場合には、Ｓ１０４において決定キー以外のキー、例えば「戻る」キー等が押下され、Ｓ１０２のステップに戻る。これにより、セキュリティデータ及び入力用画面の選択をやり直すことができる。
【００３４】
図８、図９、図１０には、上記記憶部１４の記憶領域の一部の例が示される。図８では、上記入力画面設定手段により設定入力された入力用画面を表すための画面データと該入力用画面を識別するデータである画面ＩＤとが対応付けて記憶されている。この図８に示された例が、入力用画面と該入力用画面を識別するデータとを対応付けて記憶する画面記憶手段に相当する。
【００３５】
また、図９では、入力用画面を識別する画面ＩＤと上記複数のセキュリティデータから選択された所望のセキュリティデータとが対応付けて記憶されている。この図９に示された例が、入力用画面を識別するデータとセキュリティデータとを対応付けて記憶するセキュリティデータ記憶手段に相当する。なお、図９に示された例では、セキュリティデータの代わりに、これを識別するためのセキュリティデータＩＤが記憶されてもよい。
【００３６】
また、図１０は、上記画面ＩＤと該画面ＩＤに対応する入力用画面においてセキュリティデータの入力に使用可能なキーの種類の特定データとが対応付けて記憶された例である。この図１０に示された例が、入力用画面を識別するデータとその画面において使用可能なキーの種類の特定データとを対応付けて記憶するキー種類記憶手段に相当する。このような構成により、所定の画面を入力用画面として使用する場合に、予め使用可能なキーと使用が制限されるキーとを区別できる。これにより、当該画面におけるキーの本来の機能とセキュリティデータの入力ための機能とが矛盾、衝突することを避けるため、特定のキーをセキュリティデータの入力に使用することを制限できる。例えば、決定キーは、前述したように、入力データを確定させる機能と、セキュリティデータを入力する場合の機能とが矛盾、衝突する場合がある。このようなキーの使用を制限すれば、前述した図２のＳ５からＳ１０のステップでキー入力の時間制限を設けなくとも、キーの機能が矛盾、衝突することを回避できる。従って、本発明では、上記キーの機能の矛盾、衝突を回避する方法として、図２に示したキー入力できる時間を制限する方法と、入力用画面として選択された画面毎に使用できるキーの種類を制限する方法とを選択できる。
【００３７】
図１１（ａ）、（ｂ）、（ｃ）には、セキュリティデータと、このセキュリティデータを入力するための入力用画面とを設定するための画面の例が示される。図１１（ａ）は、シークレットモードに関する設定を行うシークレットモード設定画面の例であり、例えば「２．シークレットモード解除」を選択する。この選択により、上記Ｓ１０１のステップにおいて説明したように、表示部１０の表示が、図１１（ｂ）に示されたシークレットモードの解除操作に所望のセキュリティデータを設定するためのシークレットモード解除画面に遷移する。ここで、Ｓ１０２のステップにおいて説明したように、複数のセキュリティデータから所望のセキュリティデータを選択する。本例の場合では、図６（ａ）、（ｂ）で設定したセキュリティデータ２を選択している。また、Ｓ１０３のステップにおいて説明したように、入力用画面の選択も行う。本例の場合では、着信音量選択画面を選択している。ここまで選択したら、操作部１２の決定キーを押下し、シークレットモード解除に関わるセキュリティデータと入力用画面とを確定する。この確定操作により、図１１（ｃ）に示されるように、「２．シークレットモード解除」の欄がアスタリスク（＊）で表示され、セキュリティデータと入力用画面が設定されてシークレットモード解除に関わる操作とデータがロックされていることを示す。この場合、「設定しました」等のテキストデータを表示し、使用者に設定済であることを報知してもよい。なお、図１１（ｂ）において、セキュリティデータと入力用画面との設定に誤りがあった場合には、「戻る」キーを押下することにより設定操作を繰り返すことができる。
【００３８】
図１２には、図１に示された携帯端末において、セキュリティデータを入力し、所定の操作とデータのロック状態を解除する際の動作を示すフロー図が示される。本例では、図１１（ａ）、（ｂ）、（ｃ）で設定した「シークレットモード解除」のロック状態を解除するためのものである。なお、以下に説明するフローは、媒体に格納されたプログラムをＣＰＵが実行して実現してもよい。
【００３９】
図１２において、予めシークレットモードに設定した上で、操作部１２を操作して入力用画面として設定されている着信音量選択画面を選択し（Ｓ２０１）、この画面から操作部１２によりセキュリティデータをキー入力する（Ｓ２０２）。この場合、制御部２０の判定部２６は、図８に示された記憶部１４の記憶領域を参照して、着信音量選択画面が入力用画面として設定されているか否かを判定し、入力用画面として設定されていない場合にその旨報知する構成としてもよい。
【００４０】
以上のようにして入力されたセキュリティデータが、図９に示されるように、当該着信音量選択画面と対応付けて記憶されているセキュリティデータの設定値と一致しているかを判定部２６が判定する（Ｓ２０３）。入力されたセキュリティデータが設定値と一致している場合には、セキュリティデータが入力用画面の選択後所定時間内、本例では１０秒以内に入力されているか否かを判定部２６が判定する（Ｓ２０４）。ここで、セキュリティデータが入力用画面の選択後所定時間内に入力されていれば、判定部２６がシークレットモード解除に関わるロックを解除できる状態にするかの判定を行う（Ｓ２０５）。このような構成によれば、セキュリティデータの入力を所定時間以内に限り、その間に入力されたキー入力の内容を他の時間に入力されたキー入力の内容と区別して、入力データと上記セキュリティデータの設定値との一致の判定に優先的に使用することになる。このため、ロックの解除が常時可能になることを回避でき、携帯端末における情報の秘匿性、安全性を向上できる。上記判定部２６が、所定の画面を入力用画面として使用してセキュリティデータが入力された場合に、所定の画面が設定されていた入力用画面か否か、及び入力されたセキュリティデータが、使用された入力用画面と対応付けられているか否かを判定する判定手段に相当する。
【００４１】
また、Ｓ２０３において入力されたセキュリティデータが設定値と一致しておらず、またはＳ２０４においてセキュリティデータの入力が所定時間内に行われていない場合には、シークレットモード解除に関わるロックは解除されない。
【００４２】
図１３（ａ）、（ｂ）、（ｃ）には、セキュリティデータを入力してロックを解除する場合の画面の例が示される。図１３（ａ）には、表示部１０に表示される待受画面が示され、この画面からシークレットモードをＯＮとして機能モードを設定する。この待受画面から操作部１２の操作により上述した入力用画面としての着信音量選択画面に遷移させる。次に、操作部１２の操作により、上記Ｓ２０２、Ｓ２０３、Ｓ２０４のステップで説明したように、所定時間（本例では１０秒間）以内にセキュリティデータの入力操作を行う。このキー入力の内容が図１３（ｂ）に示される。キー入力の内容が、当該着信音量選択画面と対応付けて記憶されているセキュリティデータの設定値と一致していれば、図１３（ｃ）に示されるように、「シークレットモード解除可能」の表示が表示部１０になされ、操作部１２の操作により「解除」を選択すると、シークレットモード解除に関する操作が可能となる。なお、操作部１２の操作により「変更」を選択すると図１１（ｂ）の画面に遷移し、シークレット設定の内容を再設定することが可能となる。また、「戻る」を選択すると着信音量選択画面に戻り、再度セキュリティデータの入力操作が可能となる。
【００４３】
以上に述べた本発明の構成によれば、セキュリティデータの桁数の自由度及び使用可能なキーの種類が増加し、さらにこのセキュリティデータを入力するための入力用画面も指定できるので、設定可能なセキュリティデータの状態の数を著しく多くできる。このため、携帯端末における情報の秘匿性、安全性を大幅に向上できる。
【００４４】
また、以上に述べた実施形態は、主に本発明を携帯端末に適用した例であるが、本発明は、パーソナルコンピュータ等秘匿性の要求されるデータを扱う装置であればいずれも適用可能である。なお、上述した制御部２０は、ＣＰＵを中心として構成されたコンピュータであってよく、この場合、メモリカードその他の媒体に格納されたプログラムをＣＰＵが実行することで制御部２０の各機能が実現される。
【図面の簡単な説明】
【００４５】
【図１】本発明にかかる携帯端末の一実施形態の構成のブロック図である。
【図２】図１に示された携帯端末において、セキュリティデータを設定する際の動作を示すフロー図である。
【図３】図１に示された携帯端末の記憶部に確保された記憶領域の例を示す図である。
【図４】図１に示された携帯端末の記憶部に確保された記憶領域の例を示す図である。
【図５】図１に示された携帯端末の表示部に表示される画面の例を示す図である。
【図６】図１に示された携帯端末の表示部に表示される画面の例を示す図である。
【図７】図１に示された携帯端末において、セキュリティデータと、このセキュリティデータを入力するための入力用画面とを設定する際の動作を示すフロー図である。
【図８】図１に示された携帯端末の記憶部に確保された記憶領域の例を示す図である。
【図９】図１に示された携帯端末の記憶部に確保された記憶領域の例を示す図である。
【図１０】図１に示された携帯端末の記憶部に確保された記憶領域の例を示す図である。
【図１１】図１に示された携帯端末の表示部に表示される画面の例を示す図である。
【図１２】図１に示された携帯端末において、セキュリティデータを入力し、所定の操作とデータのロック状態を解除する際の動作を示すフロー図である。
【図１３】図１に示された携帯端末の表示部に表示される画面の例を示す図である。
【符号の説明】
【００４６】
１０  表示部、１２  操作部、１４  記憶部、１６  時間計測部、１８  通信部、２０  制御部、２２  表示制御部、２４  操作指示部、２６  判定部、２８  キー判別部、３０  データ変更部、３２  入力画面設定部。
【図１】
2005165451.tif 000003
【図２】
2005165451.tif 000004
【図３】
2005165451.tif 000005
【図４】
2005165451.tif 000006
【図５】
2005165451.tif 000007
【図６】
2005165451.tif 000008
【図７】
2005165451.tif 000009
【図８】
2005165451.tif 000010
【図９】
2005165451.tif 000011
【図１０】
2005165451.tif 000012
【図１１】
2005165451.tif 000013
【図１２】
2005165451.tif 000014
【図１３】
2005165451.tif 000015